(57)【要約】【課題】  より効果的に振動等を吸収するディスクドライブ装置を提供する。【解決手段】  ディスク状記録媒体２を回転させる回転駆動機構１９と、回転駆動機構１９により回転駆動されるディスク状記録媒体２に対して信号の書き込み及び／又は読み出しを行う光学ピックアップ２０と、光学ピックアップ２０をディスク状記録媒体２の半径方向の内外周に亘って案内するガイド機構２８と、ガイド機構２８が取り付けられるベース５とを備え、ベース５は、光学ピックアップ２０がスライド可能なディスク状記録媒体２の半径方向と略平行な直線上で、光学ピックアップ２０及び回転駆動機構１９のスピンドルモータ２３を挟む位置に２箇所、光学ピックアップ２０がスライド可能な方向と略直交する直線上で、光学ピックアップ２０を挟む位置に２箇所の、少なくとも４箇所にダンパー部材１７が設けられていることを特徴とする。【選択図】  図７
2007035106.tif 000002
【特許請求の範囲】
【請求項１】
ディスク状記録媒体を保持するターンテーブルと、上記ターンテーブルを回転駆動するスピンドルモータとを有し、上記スピンドルモータが上記ディスク状記録媒体を上記ターンテーブルと一体に回転駆動する回転駆動機構と、
上記回転駆動機構により回転駆動される上記ディスク状記録媒体の信号記録面に光ビームを照射しながら、上記ディスク状記録媒体に対して信号の書き込み及び／又は読み出しを行う光学ピックアップと、
上記光学ピックアップを上記ディスク状記録媒体の半径方向にスライド可能に支持するガイド軸を有し、上記光学ピックアップを上記ディスク状記録媒体の内外周に亘って案内するガイド機構と、
上記ターンテーブルが臨む開口部及び上記光学ピックアップが臨む開口部を有し、これらの開口部から上記ターンテーブル及び上記光学ピックアップが臨む側の主面とは反対側の主面に、上記スピンドルモータ及び上記ガイド軸の両端部が取り付けられるベースとを備え、
上記ベースは、上記ガイド軸によって上記光学ピックアップがスライドする方向と略平行な直線上で、上記光学ピックアップ及び上記スピンドルモータを挟む位置に２箇所、上記ガイド軸によって上記光学ピックアップがスライド可能な方向と略直交する直線上で、上記光学ピックアップを挟む位置に２箇所の、少なくとも４箇所にダンパー部材が設けられている
ことを特徴とする光学ピックアップユニット。
【請求項２】
２箇所の上記ダンパー部材は、上記ベースの上記光学ピックアップの光ビームが照射される位置に設けられた対物レンズと上記スピンドルモータとを介して相対向する位置で、上記対物レンズと上記スピンドルモータの回転中心とを結ぶ直線上に設けられていることを特徴とする請求項１記載の光学ピックアップユニット。
【請求項３】
上記ガイド軸によって上記光学ピックアップがスライド可能な方向と略平行な直線上で、上記光学ピックアップ及び上記スピンドルモータを挟む位置に設けられる２箇所の上記ダンパー部材は、加わる荷重が均等になるように、互いに特性が異なることを特徴とする請求項１記載の光学ピックアップユニット。
【請求項４】
ディスク状記録媒体を保持するターンテーブルと、上記ターンテーブルを回転駆動するスピンドルモータとを有し、上記スピンドルモータが上記ディスク状記録媒体を上記ターンテーブルと一体に回転駆動する回転駆動機構と、
上記回転駆動機構により回転駆動される上記ディスク状記録媒体の信号記録面に光ビームを照射しながら、上記ディスク状記録媒体に対して信号の書き込み及び／又は読み出しを行う光学ピックアップと、
上記光学ピックアップを上記ディスク状記録媒体の半径方向にスライド可能に支持するガイド軸を有し、上記光学ピックアップを上記ディスク状記録媒体の内外周に亘って案内するガイド機構と、
上記ターンテーブルが臨む開口部及び上記光学ピックアップが臨む開口部を有し、これらの開口部から上記ターンテーブル及び上記光学ピックアップが臨む側の主面とは反対側の主面に、上記スピンドルモータ及び上記ガイド軸の両端部が取り付けられるベースと、
上記ディスク状記録媒体を着脱可能とする着脱位置と、上記ディスク状記録媒体に対して信号の書き込み及び／又は読み出しを行う書き込み読み出し位置とにそれぞれ移動可能とするディスク搬送機構とを備え、
上記ベースは、上記ガイド軸によって上記光学ピックアップがスライドする方向と略平行な直線上で、上記光学ピックアップ及び上記スピンドルモータを挟む位置に２箇所、上記ガイド軸によって上記光学ピックアップがスライド可能な方向と略直交する直線上で、上記光学ピックアップを挟む位置に２箇所の、少なくとも４箇所にダンパー部材が設けられている
ことを特徴とするディスクドライブ装置。
【請求項５】
２箇所の上記ダンパー部材は、上記ベースの上記光学ピックアップの光ビームが照射される位置に設けられた対物レンズと上記スピンドルモータとを介して相対向する位置で、上記対物レンズと上記スピンドルモータの回転中心とを結ぶ直線上に設けられていることを特徴とする請求項４記載のディスクドライブ装置。
【請求項６】
上記ガイド軸によって上記光学ピックアップがスライド可能な方向と略平行な直線上で、上記光学ピックアップ及び上記スピンドルモータを挟む位置に設けられる２箇所の上記ダンパー部材は、加わる荷重が均等になるように、互いに特性が異なることを特徴とする請求項４記載のディスクドライブ装置。
【発明の詳細な説明】
【技術分野】
【０００１】
本発明は、光ディスクや光磁気ディスク等の光学ディスクに対して情報信号の記録又は再生を行う光学ピックアップ、及びディスクドライブ装置に関する。
【背景技術】
【０００２】
光学ディスクなどのディスク状記録媒体としては、従来よりＣＤ（Compact Disk）やＤＶＤ（Digital Versatile Disk）といった光ディスク、ＭＤ（Mini Disk）等の光磁気ディスクが広く知られており、これら光学ディスクに対応した各種のディスクドライブ装置が登場している。
【０００３】
また、従来より、ノート型パソコン等の携帯用電子機器においても高機能化が進み、ＣＤ−Ｒ／ＲＷやＤＶＤ−ＲＯＭのディスクドライブ装置が搭載されている。そして、これらの各ディスクドライブ装置は、読み込み速度又は書き込み速度の向上やＤＶＤの再書き込み機能等の付加が求められるようになっている。
【０００４】
ノート型パソコンは、携帯して持ち歩くに際してＡ４サイズよりもＢ５サイズが実用的であることから、高機能化とともに薄型化や軽量化が進み、搭載されるＣＤ−Ｒ／ＲＷやＤＶＤ−ＲＯＭのドライブユニットもできるだけ薄く形成されることが求められている。
【０００５】
ところで、パソコン等のホスト機器に搭載されるディスク状記録媒体のディスクドライブ装置には、図１１に示すものがある。図１１は、ディスクドライブ装置２００の装置本体の外筐となる筐体２０１と、この筐体２０１の前面に設けられたトレイ出入口２０１ａから水平方向に出し入れされるディスクトレイ２０２と、このディスクトレイ２０２に取り付けられたドライブ本体であるベースユニット２０３とを備えている。
【０００６】
筐体２０１は、図１２に示すように、板金からなる上ハーフ２０１ｂと下ハーフ２０１ｃとをネジ止めする構造を有しており、その前面にトレイ出入口２０１ａが設けられ、ディスクトレイ２０２が出し入れされる。ディスクトレイ２０２にはディスク状記録媒体に対応した形状の凹部２０２ａと、この凹部２０２ａの底面部でディスクトレイ２０２の下面に取り付けられるベースユニット２０３を上方へと臨ませる開口部２０２ｂが設けられている。
【０００７】
ベースユニット２０３は、ベース本体２０４と、ベース本体２０４に取り付けられるディスク状記録媒体を回転駆動するディスク回転駆動機構２０５と、このディスク回転駆動機構２０５により回転駆動されるディスク状記録媒体に対して信号の書き込み又は読み出し動作を行う光学ピックアップ２０６と、この光学ピックアップ２０６をディスク状記録媒体の半径方向に送り動作させるピックアップ送り機構２０７とから構成されている。また、ベースユニット２０３は、そのベース本体２０４の周囲３箇所に、インシュレータ取付部２０８が設けられており、振動等を吸収するためのゴム等の弾性部材からなるインシュレータ２０９が取り付けられている。ベースユニット２０３は、これらのインシュレータ２０９を介してディスクトレイ２０２に固定されている。
【０００８】
ところで、上述のようなディスクドライブ装置２００においては、外部からの振動やディスク回転駆動機構２０５等の内部からの振動等を吸収するものとして、ベースユニット２０３に設けられるインシュレータ２０９があるが、小型化、薄型化を実現することに重きが置かれていたため、十分に振動を吸収することができていなかった。
【０００９】
また、インシュレータ２０９の取り付ける個数に関していえば、ある空間において３点を規定することである一面を決定することができ、その３点により支持された一面は安定するという物理的な法則に則り、３箇所設けるようにしていたことが通例であった。
【００１０】
【特許文献１】特開２００５−５０４８５
【発明の開示】
【発明が解決しようとする課題】
【００１１】
しかしながら、近年は、上述のように、薄型のディスクドライブ装置がノート型パソコン等に搭載される需要が高まっており、振動の影響を軽視することができなくなってきた。これは、薄型化に伴い光学ピックアップとディスク状記録媒体との距離（ワーキングディスタンス）が狭小化していること、持ち運びに伴い振動の影響を受ける環境下での光学ピックアップによる書き込み及び／又は読み出し等を行う需要が高まっていることによるものである。
【００１２】
そこで、本発明は、このような従来の実情に鑑みて提案されたものであり、従来と変わらない薄型のディスクドライブ装置において、従来よりも外部からの振動を吸収することができる機構を有する光学ピックアップユニット、及びディスクドライブ装置を提供することを目的とする。
【課題を解決するための手段】
【００１３】
上述した課題を解決するために本発明が適用された光学ピックアップユニットは、ディスク状記録媒体を保持するターンテーブルと、上記ターンテーブルを回転駆動するスピンドルモータとを有し、上記スピンドルモータが上記ディスク状記録媒体を上記ターンテーブルと一体に回転駆動する回転駆動機構と、上記回転駆動機構により回転駆動される上記ディスク状記録媒体の信号記録面に光ビームを照射しながら、上記ディスク状記録媒体に対して信号の書き込み及び／又は読み出しを行う光学ピックアップと、上記光学ピックアップを上記ディスク状記録媒体の半径方向にスライド可能に支持するガイド軸を有し、上記光学ピックアップを上記ディスク状記録媒体の内外周に亘って案内するガイド機構と、上記ターンテーブルが臨む開口部及び上記光学ピックアップが臨む開口部を有し、これらの開口部から上記ターンテーブル及び上記光学ピックアップが臨む側の主面とは反対側の主面に、上記スピンドルモータ及び上記ガイド軸の両端部が取り付けられるベースとを備える。そして、上記ベースは、上記ガイド軸によって上記光学ピックアップがスライドする方向と略平行な直線上で、上記光学ピックアップ及び上記スピンドルモータを挟む位置に２箇所、上記ガイド軸によって上記光学ピックアップがスライド可能な方向と略直交する直線上で、上記光学ピックアップを挟む位置に２箇所の、少なくとも４箇所にダンパー部材が設けられていることを特徴とする。
【００１４】
また、本発明に係るディスクドライブ装置は、ディスク状記録媒体を保持するターンテーブルと、上記ターンテーブルを回転駆動するスピンドルモータとを有し、上記スピンドルモータが上記ディスク状記録媒体を上記ターンテーブルと一体に回転駆動する回転駆動機構と、上記回転駆動機構により回転駆動される上記ディスク状記録媒体の信号記録面に光ビームを照射しながら、上記ディスク状記録媒体に対して信号の書き込み及び／又は読み出しを行う光学ピックアップと、上記光学ピックアップを上記ディスク状記録媒体の半径方向にスライド可能に支持するガイド軸を有し、上記光学ピックアップを上記ディスク状記録媒体の内外周に亘って案内するガイド機構と、上記ターンテーブルが臨む開口部及び上記光学ピックアップが臨む開口部を有し、これらの開口部から上記ターンテーブル及び上記光学ピックアップが臨む側の主面とは反対側の主面に、上記スピンドルモータ及び上記ガイド軸の両端部が取り付けられるベースと、上記ディスク状記録媒体を着脱可能とする着脱位置と、上記ディスク状記録媒体に対して信号の書き込み及び／又は読み出しを行う書き込み読み出し位置とにそれぞれ移動可能とするディスク搬送機構とを備える。そして、上記ベースは、上記ガイド軸によって上記光学ピックアップがスライドする方向と略平行な直線上で、上記光学ピックアップ及び上記スピンドルモータを挟む位置に２箇所、上記ガイド軸によって上記光学ピックアップがスライド可能な方向と略直交する直線上で、上記光学ピックアップを挟む位置に２箇所の、少なくとも４箇所にダンパー部材が設けられていることを特徴とする。
【発明の効果】
【００１５】
本発明に係るディスクドライブ装置は、ベースへの振動等を吸収、減衰させるダンパー部材が、上記ガイド軸によって上記光学ピックアップがスライド可能な上記ディスク状記録媒体の半径方向と略平行な直線上で、上記光学ピックアップ及び上記スピンドルモータを挟む位置に２箇所、上記ガイド軸によって上記光学ピックアップがスライド可能な方向と略直交する直線上で、上記光学ピックアップを挟む位置に２箇所の、少なくとも４箇所に設けられているので、ラジアル方向及びタンジェンシャル方向に対する振動を効果的に抑制することができる。
【発明を実施するための最良の形態】
【００１６】
以下、本発明が適用されたディスクドライブ装置について、図面を参照しながら詳細に説明をする。
【００１７】
本発明が適用されたディスクドライブ装置１は、ＣＤやＤＶＤ等の様々な種類のディスク状記録媒体に対して情報信号の記録及び再生を行うドライブ装置であり、例えば、図１に示すノート型パーソナルコンピュータ１００の装置本体１０１に搭載される超薄型のディスクドライブユニットである。このディスクドライブ装置１は、図２及び図３に示すように、ハードディスクドライブ（ＨＤＤ）ユニットと同等の厚みである例えば９．５ｍｍ程度にまで装置全体が薄型化された構造を有しており、ＣＤやＤＶＤといったディスク状記録媒体２に対して情報信号の記録又は再生を行うことが可能となっている。
【００１８】
具体的に、このディスクドライブ装置１は、図２、図３及び図４に示すように、ドライブ本体の外筐となる筐体３と、この筐体３の前面に設けられたトレイ出入口３ａから水平方向に出し入れされるディスクトレイ４と、このディスクトレイ４に取り付けられたドライブ本体であるベースユニット５とを備えている。
【００１９】
筐体３は、全体が略扁平箱状に形成された板金からなるボトムシャーシ６に、その上面部を覆うように同じく板金からなるカバー体７がネジ止めによって取り付けられた構造を有している。筐体３は、その前面が上記トレイ出入口３ａとして開放されており、内部にディスクトレイ４を収納するための収納空間が形成されている。また、ボトムシャーシ６には、ドライブ本体における各部の駆動制御を行う駆動制御回路や、上記ノート型パーソナルコンピュータ１００の装置本体１０１との電気的な接続を図るコネクタ等が取り付けられた回路基板（図示せず）等が配置されている。
【００２０】
ディスクトレイ４は、全体が略矩形扁平状に形成された樹脂成形材料からなり、その上面部には、ディスク状記録媒体２に対応した形状の凹部８が設けられている。この凹部８の底面部には、ディスクトレイ４の下面に取り付けられたベースユニット５を上方へと臨ませる開口部９が形成されている。また、この開口部９から臨むベースユニット５には、図３に示すように、開口部９を覆う化粧板１０が取り付けられている。この化粧板１０には、後述するベースユニット５のスピンドルモータ２３及び光学ピックアップ２０を上方へと臨ませる開口部１０ａが形成されている。
【００２１】
このディスクトレイ４は、ディスク搬送機構であり、具体的にはその両側面とボトムシャーシ６の内側面との間に介在されるガイドレール機構１１によって、図３に示すトレイ出入口３ａから筐体３の外部へと引き出される引出位置と、図２に示すトレイ出入口３ａから筐体３の内部へと引き込まれて収納される収納位置との間でスライド可能に支持されている。このディスクトレイ４の前面には、筐体３のトレイ出入口３ａを開閉する蓋体となる略矩形平板の前面パネル１２が取り付けられている。また、この前面パネル１２の前面には、ディスク状記録媒体２に対するアクセス状態を点灯表示する表示部１３と、ディスクトレイ４をイジェクトする際に押圧されるイジェクト釦１４とが設けられている。
【００２２】
なお、このディスクトレイ４は、筐体３に収納された際に、図示しないロック機構によって前面側へのスライドが係止される。そして、この状態からイジェクト釦１４が押圧されると、ロック機構による係止状態が解除されることによって、ディスクトレイ４がトレイ出入口３ａから前面側へと押し出される。これにより、ディスクトレイ４をトレイ出入口３ａから引出位置へと引き出すことが可能となっている。一方、ディスクトレイ４を筐体３の収納位置へと押し込むことによって、再びロック機構による前面側へのスライドが係止されることになる。
【００２３】
ベースユニット５は、図４及び図５に示すように、ベースとなるサブシャーシ１５を備え、このサブシャーシ１５は、板金を所定の形状に打ち抜き、その周囲を僅かに下方に折り曲げて形成されている。さらに、この下方に折り曲げられたサブシャーシ１５の端縁部からは、４つのインシュレータ取付部１６が外側に向かって折り曲げ形成されている。各インシュレータ取付部１６には、振動等を吸収するためのゴム等の弾性部材からなるインシュレータ１７が取り付けられている。サブシャーシ１５は、これらインシュレータ１７を介してディスクトレイ４の下面に設けられた支軸に支持されている。なお、インシュレータ１７のサブシャーシ１５に対する配置位置については、後述する。サブシャーシ１５の主面には、後述するターンテーブル２２を上方へと臨ませる略半円状のテーブル用開口部１８ａと、後述する光学ピックアップ２０を上方へと臨ませる略矩形状のピックアップ用開口部１８ｂとが連続して形成されている。
【００２４】
このベースユニット５は、ディスク状記録媒体２を回転駆動するディスク回転駆動機構１９と、このディスク回転駆動機構１９により回転駆動されるディスク状記録媒体２に対して信号の書き込み又は読み出しを行う光学ピックアップ２０と、この光学ピックアップ２０をディスク状記録媒体２の半径方向に送り動作させるピックアップ送り機構２１とを備え、これらがサブシャーシ１５の下面に取り付けられた超薄型構造を有している。
【００２５】
ディスク回転駆動機構１９は、ディスク状記録媒体２を保持するターンテーブル２２が上面に設けられた扁平状のスピンドルモータ２３を有し、このスピンドルモータ２３が支持板２４に支持された構造を有している。具体的に、このスピンドルモータ２３は、支持板２４に貼り合わされたプリント配線基板上に薄膜コイルがパターン形成されたステータと、このステータと対向するマグネットが内部に取り付けられ、上面にターンテーブル２２が設けられたロータとを有し、薄膜コイルに流れる電流によって発生する磁界とマグネットとの電磁気的な作用によりロータが回転駆動するようになされている。
【００２６】
ターンテーブル２２の中心部には、ディスク状記録媒体２を保持するためのチャッキング機構２５が設けられている。このチャッキング機構２５は、ディスク状記録媒体２の中心孔２ａに係合されるセンタリング部２６と、このセンタリング部２６に係合されたディスク状記録媒体２の中心孔２ａの周囲を係止する複数の係止爪２７とを有し、ターンテーブル２２に装着されたディスク状記録媒体２のセンタリングを行いながら、このディスク状記録媒体２をターンテーブル２２上に保持する。そして、このディスク回転駆動機構１９では、スピンドルモータ２３がディスク状記録媒体２をターンテーブル２２と一体に線速度一定又は角速度一定で回転駆動することになる。
【００２７】
光学ピックアップ２０は、図５に示すように、光源となる半導体レーザから出射された光ビームを対物レンズ２０ａにより集光させてディスク状記録媒体２の信号記録面に照射し、このディスク状記録媒体２の信号記録面で反射された戻りの光ビームを受光素子等からなる光検出器により検出する光学ブロックを有し、ディスク状記録媒体２に対する信号の書き込み又は読み出しを行うようになされている。また、この光学ピックアップ２０は、対物レンズ２０ａを当該対物レンズ２０ａの光軸と平行なフォーカッシング方向と当該対物レンズ２０ａの光軸方向と直交するトラッキング方向とに変位駆動する二軸アクチュエータを有し、上述した光検出器により検出されたディスク状記録媒体２からの検出信号に基づいて、ディスク状記録媒体２に対する対物レンズ２０ａのフォーカシング制御及びトラッキング制御を行うようになされている。
【００２８】
ピックアップ送り機構２１は、図５及び図６に示すように、光学ピックアップ２０をディスク状記録媒体２の半径方向にスライド可能に支持するガイド機構２８と、このガイド機構２８に支持された光学ピックアップ２０をディスク状記録媒体２の半径方向に変位駆動する変位駆動機構２９とを有している。
【００２９】
ガイド機構２８は、光学ピックアップ２０が搭載されたピックアップベース３０と、このピックアップベース３０をディスク状記録媒体２の半径方向にスライド可能に支持する一対のガイド軸３１ａ、３１ｂとを有している。
【００３０】
ピックアップベース３０には、一対のガイド軸３１ａ、３１ｂのうち、一方のガイド軸３１ａを挿通するガイド孔３２ａが形成された一対のガイド片３２と、他方のガイド軸３１ｂを挟み込むガイド溝３３ａが形成されたガイド片３３とが互いに逆向きに突出形成されている。したがって、このピックアップベース３０は、一対のガイド軸３１ａ、３１ｂに沿ってスライド可能となっている。
【００３１】
一対のガイド軸３１ａ、３１ｂは、サブシャーシ１５の下面に位置して、対物レンズ２０ａがディスク状記録媒体２の半径方向と平行に移動可能となるように、すなわち、対物レンズ２０ａとチャッキング機構２５の回転中心とを結ぶ直線と平行となるように配置されており、サブシャーシ１５のピックアップ用開口部１８ｂから対物レンズ２０ａが臨むピックアップベース３０をディスク状記録媒体２の内外周に亘って案内する。また、これら一対のガイド軸３１ａ、３１ｂの両端部は、サブシャーシ１５の下面にスキュー調整機構３４を介して取り付けられている。
【００３２】
スキュー調整機構３４は、一対のガイド軸３１ａ、３１ｂの両端部をサブシャーシ１５の主面と直交する方向に移動可能に支持し、各ガイド軸３１ａ、３１ｂの端部が支持される位置をそれぞれ独立して調節可能としたものである。
【００３３】
変位駆動機構２９は、図５及び図６に示すように、ピックアップベース３０に取り付けられたラック部材３５と、このラック部材３５と噛合される送りネジ３６と、この送りネジ３６を回転駆動する駆動モータ３７とを有している。
【００３４】
ラック部材３５は、その基端側がピックアップベース３０の一対のガイド片３２の間に位置してネジ止めにより取り付けられ、その先端側に一方のガイド軸３１ａと平行に配置された送りネジ３６と噛合されるラック部が一体に形成されている。送りネジ３６は、駆動モータ３７の駆動軸と一体に形成されており、その外周面には、上記ラック部材３５のラック部が噛合される螺旋状のリードスクリュー３６ａが形成されている。駆動モータ３７は、いわゆるステッピングモータであり、駆動パルスに応じて送りネジ３６を回転駆動する。また、これら送りネジ３６及び駆動モータ３７は、サブシャーシ１５の下面にネジ止めによって取り付けられたブラケット３８に支持されている。このブラケット３８は、長尺状の板金の両端部が同一方向に直角に折り曲げられた形状を有しており、その折り曲げられた一端側に送りネジ３６を貫通させた状態で駆動モータ３７が固定される一方、他端に設けられた軸孔に送りネジ３６の先端が軸支されることによって、送りネジ３６を回転可能に支持している。
【００３５】
ピックアップ送り機構２１では、駆動モータ３７が送りネジ３６を回転駆動しながら、リードスクリュー３６ａとラック部との噛合によりラック部材３５を送りネジ３６の軸線方向に変位させる。これにより、光学ピックアップ２０がピックアップベース３０と一体に一対のガイド軸３１ａ、３１ｂに沿った方向、すなわちディスク状記録媒体２の半径方向に送り動作される。
【００３６】
次に、ディスクドライブ装置１に設けられるインシュレータ１７について説明する。インシュレータ１７は、サブシャーシ１５の端縁部から外側に向って折り曲げ形成された開口部１６ａを有する４箇所のインシュレータ取付部１６に取付けられている。インシュレータ１７は、この開口部１６ａに取り付けられ、サブシャーシ１５とディスクトレイ４とをディスクトレイ４の下面に設けられた支軸を介して支持されている。インシュレータ１７は、振動等を吸収するためのゴム等の弾性部材、ゴムブッシュ等のダンパーからなり、外部からの衝撃、振動、ディスク回転駆動機構等からの振動等を吸収する。
【００３７】
インシュレータ１７は、図７に示すように、光学ピックアップ２０の対物レンズ２０ａがスライド移動する方向と略平行な直線上（図７中一点鎖線Ａ参照）、つまりディスク回転駆動機構１９のセンタリング部２６の回転中心である中心点４１と、光学ピックアップ２０の対物レンズ２０ａとを結ぶ直線上に設けられたサブシャーシ１５の２箇所の端縁部のインシュレータ取付部１６に設けられている。説明上、ディスク回転駆動機構１９のスピンドルモータ２３が設けられる側の端縁部に取り付けられたインシュレータ１７をインシュレータ１７ａと、光学ピックアップ２０が設けられる側の端縁部に取り付けられたインシュレータ１７をインシュレータ１７ｂとする。すなわち、インシュレータ１７ａ、１７ｂは、ディスク回転駆動機構１９と光学ピックアップ２０とを挟み、ガイド軸３１ａ、３１ｂによって光学ピックアップ２０がスライドする方向と略平行な直線上で、ディスク回転駆動機構１９と光学ピックアップ２０とともに略一直線上になるような位置に配置されている。さらに、インシュレータ１７は、光学ピックアップ２０の対物レンズ２０ａが移動する方向と略直交する方向と略平行な直線上、つまり上述の一点鎖線Ａと略直交する方向（図７中一点鎖線Ｂ参照）に設けられたサブシャーシ１５の２箇所の端縁部のインシュレータ取付部１６に設けられている。説明上、変位駆動機構２９が設けられる側のインシュレータ１７をインシュレータ１７ｃとし、その反対側のインシュレータ１７をインシュレータ１７ｄとする。インシュレータ１７ｃ、１７ｄは、光学ピックアップ２０の対物レンズ２０ａを挟むような位置に設けられている。
【００３８】
このように４箇所のインシュレータ１７は、インシュレータ１７ａ、１７ｂとインシュレータ１７ｃ、１７ｄとが直交し、ディスク回転駆動機構１９及び光学ピックアップ２０を囲むように配置されている。そのため、光学ピックアップ２０がディスク状記録媒体３の内周側と外周側との間に亘って移動されるが、この移動領域のいずれに位置においても光学ピックアップ２０を囲んでいることになり、効果的に振動等を吸収・抑制することができる。
【００３９】
また、従来のインシュレータが３箇所設けられていたディスクドライブ装置では、ベースユニットのスピンドルモータ等が設けられたディスク回転駆動機構近傍に重心があり、その近傍に設けられたインシュレータへの負担が大きくなっていたが、ディスクドライブ装置１においては、一点鎖線Ａ上に、インシュレータ１７ａの他に、さらにインシュレータ１７ｂを設けたことにより各インシュレータ１７ａ、１７ｂ、１７ｃ、１７ｄへ均等に振動等が分散され、吸収される。また、一対のインシュレータ１７ａ、１７ｂは、ディスク回転駆動機構１９及び光学ピックアップ２０を挟み、対物レンズ２０ａが移動する直線の略延長線上に設けられており、光学ピックアップ２０のタンジェンシャル方向に対する振動を抑えることができる。さらに、一対のインシュレータ１７ｃ、１７ｄは、光学ピックアップ２０の移動方向と略直交する方向に設けられており、光学ピックアップ２０のラジアル方向に対する振動を抑えることができる。したがって、図７に配置された４つのインシュレータ１７は、ラジアル方向及びタンジェンシャル方向のいずれの方向に対する振動をバランスよく均等に抑制することができる。
【００４０】
さらに、インシュレータ１７は、それぞれ配置される位置に合わせてインシュレータの特性を変えるようにしてもよい。すなわち、４箇所のインシュレータ１７に均等に振動が分散されるように、インシュレータの特性を変える。例えば、インシュレータ１７ａは、ベースユニット５の重心があるスピンドルモータ２３等が設けられたディスク回転駆動機構１９に最も近い位置にあたり、用いられる弾性部材をインシュレータ１７ｂと比して硬度が小さいものとすることで、それぞれのインシュレータ１７に加わる振動荷重のバランスを取ることができる。インシュレータ１７ｃ、１７ｄにおいても、ｘ方向における重心の偏りに合わせて硬度等の特性を変えることにより振動等が均一に分散されるようにすることができる。
【００４１】
次に、ディスクドライブ装置１の振動実験について説明をする。図８は、ディスクドライブ装置１に外部より振動を与え、光学ピックアップ２０のディスク状記録媒体２に対する内周、中周、外周位置における振動の応答波形を測定した結果と、従来のインシュレータが３箇所設けられたディスクドライブ装置に同様の振動を加えたときの応答波形を測定した結果とを示している。また、図９は、同様の振動実験を、従来の３箇所インシュレータが設けられたディスクドライブ装置、及びインシュレータが設けられていないディスクドライブ装置について行った結果を示している。
【００４２】
振動実験は、具体的には、図１０に示すように、振動装置１００を用いて行う。振動装置１００は、図１０に示すように、ディスクドライブ装置１を固定する固定手段を有する架台１０１と、架台１０１を所定の振幅で振動させる加振部１０２と、ディスクドライブ装置１上の所定箇所における応答を測定するセンサ１０３とから構成されている。
【００４３】
架台１０１は、ディスクドライブ装置１等の被振動物が載置、固定される台であり、主面がディスクドライブ装置１よりも大きい。架台１０１は、固定手段を有し、この固定手段を介してディスクドライブ装置１を固定することができる。
【００４４】
加振部１０２は、架台１０１と接続され、架台１０１を所定の振幅で加振する。具体的には、加振部１０２は、架台１０１をディスクドライブ装置１の主面に垂直な方向（図１０の矢印ｘ方向）に振動させる。
【００４５】
センサ１０３は、ディスクドライブ装置１の所定の位置に取り付けられ、その位置における加振部１０２からの振動の応答を測定するセンサである。本実験においては、センサ１０３は、光学ピックアップ２０のディスク状記録媒体２に対する内周、中周、外周位置の３箇所における応答波形を測定する。
【００４６】
本振動実験においては、加速度をＧとしてディスクドライブ装置１に０．２Ｇ（ｍｍ）の振幅の振動を与え、光学ピックアップ２０の内周、中周、外周位置における振動の応答を測定する。
【００４７】
図９に示すように、３箇所のインシュレータを有する従来のディスクドライブ装置、及びインシュレータが設けられていないディスクドライブ装置においては、どの位置であってもほぼ同一の応答を示しており、振動を十分に吸収、減衰していないことがわかる。
【００４８】
一方、ディスクドライブ装置１においては、図８に示すように、半径方向のどの位置であっても、図８の矢印ｙに示すように、１２０Ｈｚ〜２５０Ｈｚの周波数帯域の振動を減衰させていることがわかる。これは、実環境で発生する周波数帯域が０〜２００Ｈｚ程度であることから、その一部の周波数帯域の振動を減衰させることができていると言え、実環境において振動吸収効果があることがわかる。また、ディスクドライブ装置に取り付けられるディスク状記録媒体のディスク回転数も１７０Ｈｚ程度であることから、１２０Ｈｚ〜２５０Ｈｚの周波数帯域の振動を減衰させることが使用上有利であることがわかる。このことから、ディスクドライブ装置１のインシュレータ１７は、従来と比して所望とする周波数帯域の振動を吸収していることがわかる。
【００４９】
以上のように構成されるディスクドライブ装置１では、ベースユニット５への振動等を吸収、減衰させるインシュレータ１７が、光学ピックアップ２０の移動方向と略平行な方向で、スピンドルモータ２３の回転中心と対物レンズ２０ａとを結ぶ直線上でディスク回転駆動機構１９と光学ピックアップ２０を挟むような位置に２箇所、また、光学ピックアップ２０の移動方向と略直交する方向で、光学ピックアップ２０を挟むような位置に２箇所と、少なくとも４箇所設けられているので、インシュレータ１７ａ、１７ｂによりタンジェンシャル方向に対する振動、及び、インシュレータ１７ｃ、１７ｄによりラジアル方向に対する振動を効果的に抑制することができる。
【００５０】
なお、本発明に係るディスクドライブ装置１は、上述のようなディスクトレイを有するタイプのドライブ装置に限らず、ディスク状記録媒体をスロットインさせるタイプのものであってもよい。
【図面の簡単な説明】
【００５１】
【図１】本発明を適用したディスクドライブ装置が搭載されたノート型パーソナルコンピュータを示す斜視図である。
【図２】本発明を適用したディスクドライブ装置のディスクトレイが収納された状態を示す斜視図である。
【図３】本発明を適用したディスクドライブ装置のディスクトレイが引き出された状態を示す斜視図である。
【図４】本発明を適用したディスクドライブ装置の構成を示す分解斜視図である。
【図５】ベースユニットを上面側から見た斜視図である。
【図６】ベースユニットを下面側から見た斜視図である。
【図７】ベースユニットに取り付けられるインシュレータの配置を説明するための模式図である。
【図８】本発明を適用したディスクドライブ装置の振動実験の結果を表す図である。
【図９】従来のディスクドライブ装置の振動実験の結果を表す図である。
【図１０】振動実験に用いられる振動装置の構成を示す概念図である。
【図１１】従来のディスクドライブ装置を示す斜視図である。
【図１２】従来のディスクドライブ装置の構成を示す分解斜視図である。
【符号の説明】
【００５２】
１  ディスクドライブ装置、２  ディスク状記録媒体、２ａ  中心孔、３  筐体、３ａ  トレイ出入口、４  ディスクトレイ、５  ベースユニット、６  ボトムシャーシ、７  カバー体、８  凹部、９  開口部、１０  化粧板、１０ａ  開口部、１１  ガイドレール機構、１２  前面パネル、１３  表示部、１４  イジェクト釦、１５  サブシャーシ、１６  インシュレータ取付部、１６ａ  開口部、１７  インシュレータ、１８ａ、１８ｂ  開口部、１９  ディスク回転駆動機構、２０  光学ピックアップ、２０ａ  対物レンズ、２１  ピックアップ送り機構、２２  ターンテーブル、２３  スピンドルモータ、２４  支持板、２５  チャッキング機構、２６  センタリング部、２７  係止爪、２８  ガイド機構、２９  変位駆動機構、３０  ピックアップベース、３１ａ、３１ｂ  ガイド軸、３２、３３  ガイド片、３２ａ  ガイド孔、３３ａ  ガイド溝、３４  スキュー調整機構、３５  ラック部材、３６  送りネジ、３６ａ  リードスクリュー、３７  駆動モータ、３８  ブラケット、１００  ノート型パーソナルコンピュータ、１０１  装置本体、２００  ディスクドライブ装置、２０１  筐体、２０１ａ  トレイ出入口、２０１ｂ  上ハーフ、２０１ｃ  下ハーフ、２０２  ディスクトレイ、２０２ａ  凹部、２０２ｂ  開口部、２０３  ベースユニット、２０４  ベース本体、２０５  ディスク回転駆動機構、２０６  光学ピックアップ、２０７  ピックアップ送り機構、２０８  インシュレータ取付部、２０９  インシュレータ
【図１】
2007035106.tif 000003
【図２】
2007035106.tif 000004
【図３】
2007035106.tif 000005
【図４】
2007035106.tif 000006
【図５】
2007035106.tif 000007
【図６】
2007035106.tif 000008
【図７】
2007035106.tif 000009
【図８】
2007035106.tif 000010
【図９】
2007035106.tif 000011
【図１０】
2007035106.tif 000012
【図１１】
2007035106.tif 000013
【図１２】
2007035106.tif 000014